【手続補正書】
【提出日】平成28年1月16日(2016.1.16)
【手続補正１】
【補正対象書類名】特許請求の範囲
【補正対象項目名】全文
【補正方法】変更
【補正の内容】
【特許請求の範囲】
【請求項１】
測定光を照射した被検眼の前眼部からの戻り光と、該測定光に対応する参照光とを合波した光に基づいて、前記前眼部の断層画像を取得する光断層撮像装置であって、
前記測定光の光路長を変更する測定光光路長変更手段と、
前記断層画像の撮像範囲の大きさを指示する指示手段と、
前記撮像範囲を狭くする指示の場合には、前記測定光の光路長を短くするように、且つ前記撮像範囲を広くする指示の場合よりも前記測定光の光路長の変更速度を遅くするように、前記測定光光路長変更手段を制御する制御手段と、
を有することを特徴とする光断層撮像装置。
【請求項２】
前記測定光光路長変更手段は、前記測定光の光路を含む光学部を前記前眼部に対して移動する光学部移動機構を有し、
前記制御手段が、前記撮像範囲を狭くする指示の場合には、前記前眼部に対して前記光学部を近づけるように、且つ前記撮像範囲を広くする指示の場合よりも前記光学部の移動速度を遅くするように、前記光学部移動機構を制御することを特徴とする請求項１に記載の光断層撮像装置。
【請求項３】
前記撮像範囲の限界の範囲を示す表示形態を表示手段に表示させる表示制御手段を更に有することを特徴とする請求項１または２に記載の光断層撮像装置。
【請求項４】
前記表示制御手段が、前記撮像範囲の拡大限界範囲を示す表示形態と前記撮像範囲の縮小限界範囲を示す表示形態とを前記前眼部の画像に重ねた状態で前記表示手段に表示され、
前記拡大限界範囲を示す表示形態は、前記縮小限界範囲を示す表示形態に対して視認性の高い表示形態であることを特徴とする請求項３に記載の光断層撮像装置。
【請求項５】
前記表示制御手段が、前記断層画像の撮像範囲の大きさの変更の指示を入力するための表示形態を表示手段に表示させ、
前記指示手段が、操作手段による操作に応じて前記変更を指示することを特徴とする請求項３または４に記載の光断層撮像装置。
【請求項６】
前記操作手段は、マウスであることを特徴とする請求項５に記載の光断層撮像装置。
【請求項７】
前記表示制御手段が、前記変更の指示を入力するための表示形態における前記撮像範囲の限界の範囲外に前記変更が指示された場合には、警告を示す表示形態を前記表示手段に表示させることを特徴とする請求項５または６に記載の光断層撮像装置。
【請求項８】
前記参照光の光路長を変更する参照光光路長変更手段を更に有し、
前記制御手段が、前記指示手段による指示に応じて、前記測定光光路長変更手段と前記参照光光路長変更手段とを連動させて制御することを特徴とする請求項１乃至７の何れか一項に記載の光断層撮像装置。
【請求項９】
前記前眼部に対して前記測定光を合焦する合焦レンズを光路に沿って移動する移動手段を更に有し、
前記制御手段が、前記指示手段による指示に応じて、前記測定光光路長変更手段と前記移動手段とを連動させて制御することを特徴とする請求項１乃至８の何れか一項に記載の光断層撮像装置。
【請求項１０】
前記測定光の光路に設けられる対物レンズを更に有し、
前記測定光光路長変更手段は、前記対物レンズと前記前眼部との距離を変更することにより、前記測定光の光路長を変更することを特徴とする請求項１乃至９の何れか一項に記載の光断層撮像装置。
【請求項１１】
前記被検眼において前記測定光を走査する走査手段を更に有し、
前記制御手段は、前記被検眼の眼底の断層画像を取得する場合には前記走査手段の走査角度を変更するように前記走査手段を制御し、前記前眼部の断層画像を取得する場合には前記走査手段の走査角度を変更しないように前記走査手段を制御することを特徴とする請求項１乃至１０の何れか一項に記載の光断層撮像装置。
【請求項１２】
前記測定光の光路に設けられる対物レンズと、
前記前眼部において前記測定光を走査する走査手段と、
前記対物レンズと前記前眼部との距離が長くなると前記前眼部における測定光の走査範囲が広くなり、且つ前記対物レンズと前記前眼部との距離が短くなると前記前眼部における前記測定光の走査範囲が狭くなるように、前記測定光を前記前眼部に照射する照射手段と、
を有することを特徴とする請求項１乃至９の何れか一項に記載の光断層撮像装置。
【請求項１３】
測定光を照射した被検眼の前眼部からの戻り光と、該測定光に対応する参照光とを合波した光に基づいて、前記前眼部の断層画像を取得する光断層撮像装置の制御方法であって、
前記断層画像の撮像範囲の大きさを指示する工程と、
前記撮像範囲を狭くする指示の場合には、前記測定光の光路長を短くするように、且つ前記撮像範囲を広くする指示の場合よりも前記測定光の光路長の変更速度を遅くするように、前記測定光の光路長を変更する測定光光路長変更手段を制御する工程と、
を有することを特徴とする光断層撮像装置の制御方法。
【請求項１４】
前記測定光光路長変更手段は、前記測定光の光路を含む光学部を前記前眼部に対して移動する光学部移動機構を有し、
前記制御する工程において、前記撮像範囲を狭くする指示の場合には、前記前眼部に対して前記光学部を近づけるように、且つ前記撮像範囲を広くする指示の場合よりも前記光学部の移動速度を遅くするように、前記光学部移動機構を制御することを特徴とする請求項１３に記載の光断層撮像装置の制御方法。
【請求項１５】
前記撮像範囲の限界の範囲を示す表示形態を表示手段に表示させる工程を更に有することを特徴とする請求項１３または１４に記載の光断層撮像装置の制御方法。
【請求項１６】
前記表示手段に表示させる工程において、前記撮像範囲の拡大限界範囲を示す表示形態と前記撮像範囲の縮小限界範囲を示す表示形態とを前記前眼部の画像に重ねた状態で前記表示手段に表示され、
前記拡大限界範囲を示す表示形態は、前記縮小限界範囲を示す表示形態に対して視認性の高い表示形態であることを特徴とする請求項１５に記載の光断層撮像装置の制御方法。
【請求項１７】
前記表示手段に表示させる工程において、前記断層画像の撮像範囲の大きさの変更の指示を入力するための表示形態を表示手段に表示させ、
前記指示する工程において、操作手段による操作に応じて前記変更を指示することを特徴とする請求項１５または１６に記載の光断層撮像装置の制御方法。
【請求項１８】
前記表示手段に表示させる工程において、前記変更の指示を入力するための表示形態における前記撮像範囲の限界の範囲外に前記変更が指示された場合には、警告を示す表示形態を前記表示手段に表示させることを特徴とする請求項１７に記載の光断層撮像装置の制御方法。
【請求項１９】
請求項１３乃至１８の何れか一項に記載の光断層撮像装置の制御方法の各工程をコンピュータに実行させることを特徴とするプログラム。
【手続補正２】
【補正対象書類名】明細書
【補正対象項目名】００１０
【補正方法】変更
【補正の内容】
【００１０】
本発明に係る光断層撮像装置の一つは、
測定光を照射した被検眼の前眼部からの戻り光と、該測定光に対応する参照光とを合波した光に基づいて、前記前眼部の断層画像を取得する光断層撮像装置であって、
前記測定光の光路長を変更する測定光光路長変更手段と、
前記断層画像の撮像範囲の大きさを指示する指示手段と、
前記撮像範囲を狭くする指示の場合には、前記測定光の光路長を短くするように、且つ前記撮像範囲を広くする指示の場合よりも前記測定光の光路長の変更速度を遅くするように、前記測定光光路長変更手段を制御する制御手段と、を有する。